(57)【要約】【課題】新聞紙面複製物出力システムが、ユーザが年月日の一部のみを入力した場合でもユーザの希望に応じて新聞紙面の複製物を提供することができる。【解決手段】発行日提案用情報記憶部は、年、月及び日のうち１つまたは２つを示す情報と、当該情報が示す年、月及び日のうち１つまたは２つに基づいて決定された年月日であって、新聞紙面データ記憶部が新聞紙面データを記憶している新聞の発行日に該当する年月日を示す１つ以上の発行年月日情報とが対応付けられた発行日提案用情報を記憶している。そして、発行日提案処理部は、年、月及び日のうち１つまたは２つの指定に応じて、発行日提案用情報記憶部から発行年月日情報を読み出す。印刷部は、発行日提案用情報記憶部が読み出した発行年月日情報に基づいて決定された年月日の新聞紙面の複製物を印刷する。【選択図】図１
2017021707.tif 000002
【特許請求の範囲】
【請求項１】
所定期間に発行された新聞の各々についての１つ以上の紙面を示す新聞紙面データを記憶する新聞紙面データ記憶部と、
前記新聞紙面データ記憶部から新聞紙面データを読み出す新聞紙面データ管理部と、
前記新聞紙面データ管理部が読み出した新聞紙面データが示す紙面の複製物を印刷する印刷部と、
年、月及び日のうち１つまたは２つを示す情報と、当該情報が示す年、月及び日のうち１つまたは２つに基づいて決定された年月日であって、前記新聞紙面データ記憶部が新聞紙面データを記憶している新聞の発行日に該当する年月日を示す１つ以上の発行年月日情報とが対応付けられた発行日提案用情報を記憶する発行日提案用情報記憶部と、
年、月及び日のうち少なくともいずれかを示す時期指定情報の入力を受ける入力部と、
前記入力部が、年、月及び日のうち１つまたは２つを示す時期指定情報の入力を受けた場合、当該時期指定情報が示す年、月及び日のうち１つまたは２つに、前記発行日提案用情報にて対応付けられている１つ以上の発行年月日情報を、前記発行日提案用情報記憶部から読み出す発行日提案処理部と、
前記発行日提案処理部が読み出した発行年月日情報を出力する出力部と、
を備え、
前記入力部は、前記出力部が出力した発行年月日情報が示す年月日のうち１つの年月日を示す決定年月日情報の入力を受け、
前記新聞紙面データ管理部は、前記決定年月日情報が示す年月日の新聞の紙面を示す新聞紙面データを前記新聞紙面データ記憶部から読み出す、
新聞紙面複製物出力システム。
【請求項２】
前記入力部が、年、月及び日のうち年のみを示す時期指定情報の入力を受けた場合、前記発行日提案処理部は、当該時期指定情報が示す年に、前記発行日提案用情報にて対応付けられている１つ以上の発行年月日情報を、前記発行日提案用情報記憶部から読み出す、
請求項１に記載の新聞紙面複製物出力システム。
【請求項３】
前記入力部が、年、月及び日のうち月及び日のみを示す時期指定情報の入力を受けた場合、前記発行日提案処理部は、当該時期指定情報が示す月及び日に、前記発行日提案用情報にて対応付けられている１つ以上の発行年月日情報を、前記発行日提案用情報記憶部から読み出す、
請求項１に記載の新聞紙面複製物出力システム。
【請求項４】
前記入力部が、年、月及び日を示す時期指定情報の入力を受け、かつ、当該時期指定情報が示す年月日の紙面を示す新聞紙面データを前記新聞紙面データ記憶部が記憶していない場合、発行日提案処理部は、当該時期指定情報が示す年、月及び日のうち１つ以上に、前記発行日提案用情報にて対応付けられている１つ以上の発行年月日情報を、前記発行日提案用情報記憶部から読み出し、
前記出力部は、前記発行日提案処理部が読み出した発行年月日情報を少なくとも含む発行年月日情報を出力する、
請求項１から３のいずれか１項に記載の新聞紙面複製物出力システム。
【請求項５】
所定期間に発行された新聞の各々の１つ以上の紙面を示す新聞紙面データを記憶する新聞紙面データ記憶部と、
年、月及び日のうち１つまたは２つを示す情報と、当該情報が示す年、月及び日のうち１つまたは２つに基づいて決定された年月日であって、前記新聞紙面データ記憶部が新聞紙面データを記憶している新聞の発行日に該当する年月日を示す１つ以上の発行年月日情報とが対応付けられた発行日提案用情報を記憶する発行日提案用情報記憶部と、
を備える新聞紙面複製物出力システムの新聞紙面複製物出力方法であって、
年、月及び日のうち少なくともいずれかを示す時期指定情報の入力を受ける時期指定情報入力ステップと、
前記時期指定情報入力ステップにて年、月及び日のうち１つまたは２つを示す時期指定情報の入力を受けた場合、当該時期指定情報が示す年、月及び日のうち１つまたは２つに、前記発行日提案用情報にて対応付けられている１つ以上の発行年月日情報を、前記発行日提案用情報記憶部から読み出す発行日提案処理ステップと、
前記発行日提案処理ステップにて読み出した発行年月日情報を出力する出力ステップと、
前記出力ステップにて出力した発行年月日情報が示す年月日のうち１つの年月日を示す決定年月日情報の入力を受ける決定年月日情報入力ステップと、
前記決定年月日情報が示す年月日の新聞の紙面を示す新聞紙面データを前記新聞紙面データ記憶部から読み出す新聞紙面データ管理ステップと、
前記新聞紙面データ管理ステップにて読み出した新聞紙面データが示す紙面の複製物を印刷する印刷ステップと、
を含む新聞紙面複製物出力方法。
【請求項６】
所定期間に発行された新聞の各々の１つ以上の紙面を示す新聞紙面データを記憶する新聞紙面データ記憶部と、
年、月及び日のうち１つまたは２つを示す情報と、当該情報が示す年、月及び日のうち１つまたは２つに基づいて決定された年月日であって、前記新聞紙面データ記憶部が新聞紙面データを記憶している新聞の発行日に該当する年月日を示す１つ以上の発行年月日情報とが対応付けられた発行日提案用情報を記憶する発行日提案用情報記憶部と、
前記新聞紙面データ記憶部が記憶している新聞紙面データが示す紙面の複製物を印刷する印刷部と、
を備える新聞紙面複製物出力システムを制御するコンピュータに、
年、月及び日のうち少なくともいずれかを示す時期指定情報の入力を受ける時期指定情報入力ステップと、
前記時期指定情報入力ステップにて年、月及び日のうち１つまたは２つを示す時期指定情報の入力を受けた場合、当該時期指定情報が示す年、月及び日のうち１つまたは２つに、前記発行日提案用情報にて対応付けられている１つ以上の発行年月日情報を、前記発行日提案用情報記憶部から読み出す発行日提案処理ステップと、
前記発行日提案処理ステップにて読み出した発行年月日情報を出力する出力ステップと、
前記出力ステップにて出力した発行年月日情報が示す年月日のうち１つの年月日を示す決定年月日情報の入力を受ける決定年月日情報入力ステップと、
前記決定年月日情報が示す年月日の新聞の紙面を示す新聞紙面データを前記新聞紙面データ記憶部から読み出す新聞紙面データ管理ステップと、
前記新聞紙面データ管理ステップにて読み出した新聞紙面データが示す紙面の複製物を前記印刷部に印刷させる印刷ステップと、
を実行させるためのプログラム。
【発明の詳細な説明】
【技術分野】
【０００１】
本発明は、新聞紙面複製物出力システム、新聞紙面複製物出力方法及びプログラムに関する。
【背景技術】
【０００２】
誕生日など記念日の新聞紙面の複製物を出力するための技術が提案されている。
例えば、特許文献１に記載の新聞出力装置は、所定期間に発行された新聞データを蓄積したデータ蓄積装置を備えている。そして、当該新聞出力装置は、操作ボードにて発行日が入力されると、入力された発行日をキーとしてデータ蓄積装置を検索して発行日の新聞データを読み込み、読み込んだ新聞データをプリンタに印刷させる。
特許文献１に記載の新聞出力装置によれば、ユーザは、発行日を入力するという簡単な操作で、入力した発行日の新聞紙面の複製物を得ることができる。
【先行技術文献】
【特許文献】
【０００３】
【特許文献１】特開２０００−３０１４５号公報
【発明の概要】
【発明が解決しようとする課題】
【０００４】
例えばユーザが誕生の月日のみを入力した場合など年月日の一部のみを入力した場合でもユーザの希望に応じて新聞紙面の複製物を提供することができれば、ユーザの利便性が高まる。
【０００５】
本発明は、ユーザが年月日の一部のみを入力した場合でもユーザの希望に応じて新聞紙面の複製物を提供することができる新聞紙面複製物出力システム、新聞紙面複製物出力方法及びプログラムを提供する。
【課題を解決するための手段】
【０００６】
本発明の第１の態様によれば、新聞紙面複製物出力システムは、所定期間に発行された新聞の各々についての１つ以上の紙面を示す新聞紙面データを記憶する新聞紙面データ記憶部と、前記新聞紙面データ記憶部から新聞紙面データを読み出す新聞紙面データ管理部と、前記新聞紙面データ管理部が読み出した新聞紙面データが示す紙面の複製物を印刷する印刷部と、年、月及び日のうち１つまたは２つを示す情報と、当該情報が示す年、月及び日のうち１つまたは２つに基づいて決定された年月日であって、前記新聞紙面データ記憶部が新聞紙面データを記憶している新聞の発行日に該当する年月日を示す１つ以上の発行年月日情報とが対応付けられた発行日提案用情報を記憶する発行日提案用情報記憶部と、年、月及び日のうち少なくともいずれかを示す時期指定情報の入力を受ける入力部と、前記入力部が、年、月及び日のうち１つまたは２つを示す時期指定情報の入力を受けた場合、当該時期指定情報が示す年、月及び日のうち１つまたは２つに、前記発行日提案用情報にて対応付けられている１つ以上の発行年月日情報を、前記発行日提案用情報記憶部から読み出す発行日提案処理部と、前記発行日提案処理部が読み出した発行年月日情報を出力する出力部と、を備え、前記入力部は、前記出力部が出力した発行年月日情報が示す年月日のうち１つの年月日を示す決定年月日情報の入力を受け、前記新聞紙面データ管理部は、前記決定年月日情報が示す年月日の新聞の紙面を示す新聞紙面データを前記新聞紙面データ記憶部から読み出す。
【０００７】
前記入力部が、年、月及び日のうち年のみを示す時期指定情報の入力を受けた場合、前記発行日提案処理部は、当該時期指定情報が示す年に、前記発行日提案用情報にて対応付けられている１つ以上の発行年月日情報を、前記発行日提案用情報記憶部から読み出すようにしてもよい。
【０００８】
前記入力部が、年、月及び日のうち月及び日のみを示す時期指定情報の入力を受けた場合、前記発行日提案処理部は、当該時期指定情報が示す月及び日に、前記発行日提案用情報にて対応付けられている１つ以上の発行年月日情報を、前記発行日提案用情報記憶部から読み出すようにしてもよい。
【０００９】
前記入力部が、年、月及び日を示す時期指定情報の入力を受け、かつ、当該時期指定情報が示す年月日の紙面を示す新聞紙面データを前記新聞紙面データ記憶部が記憶していない場合、発行日提案処理部は、当該時期指定情報が示す年、月及び日のうち１つ以上に、前記発行日提案用情報にて対応付けられている１つ以上の発行年月日情報を、前記発行日提案用情報記憶部から読み出し、前記出力部は、前記発行日提案処理部が読み出した発行年月日情報を少なくとも含む発行年月日情報を出力するようにしてもよい。
【００１０】
本発明の第２の態様によれば、新聞紙面複製物出力方法は、所定期間に発行された新聞の各々の１つ以上の紙面を示す新聞紙面データを記憶する新聞紙面データ記憶部と、年、月及び日のうち１つまたは２つを示す情報と、当該情報が示す年、月及び日のうち１つまたは２つに基づいて決定された年月日であって、前記新聞紙面データ記憶部が新聞紙面データを記憶している新聞の発行日に該当する年月日を示す１つ以上の発行年月日情報とが対応付けられた発行日提案用情報を記憶する発行日提案用情報記憶部と、を備える新聞紙面複製物出力システムの新聞紙面複製物出力方法であって、年、月及び日のうち少なくともいずれかを示す時期指定情報の入力を受ける時期指定情報入力ステップと、前記時期指定情報入力ステップにて年、月及び日のうち１つまたは２つを示す時期指定情報の入力を受けた場合、当該時期指定情報が示す年、月及び日のうち１つまたは２つに、前記発行日提案用情報にて対応付けられている１つ以上の発行年月日情報を、前記発行日提案用情報記憶部から読み出す発行日提案処理ステップと、前記発行日提案処理ステップにて読み出した発行年月日情報を出力する出力ステップと、前記出力ステップにて出力した発行年月日情報が示す年月日のうち１つの年月日を示す決定年月日情報の入力を受ける決定年月日情報入力ステップと、前記決定年月日情報が示す年月日の新聞の紙面を示す新聞紙面データを前記新聞紙面データ記憶部から読み出す新聞紙面データ管理ステップと、前記新聞紙面データ管理ステップにて読み出した新聞紙面データが示す紙面の複製物を印刷する印刷ステップと、を含む。
【００１１】
本発明の第３の態様によれば、プログラムは、所定期間に発行された新聞の各々の１つ以上の紙面を示す新聞紙面データを記憶する新聞紙面データ記憶部と、年、月及び日のうち１つまたは２つを示す情報と、当該情報が示す年、月及び日のうち１つまたは２つに基づいて決定された年月日であって、前記新聞紙面データ記憶部が新聞紙面データを記憶している新聞の発行日に該当する年月日を示す１つ以上の発行年月日情報とが対応付けられた発行日提案用情報を記憶する発行日提案用情報記憶部と、前記新聞紙面データ記憶部が記憶している新聞紙面データが示す紙面の複製物を印刷する印刷部と、を備える新聞紙面複製物出力システムを制御するコンピュータに、年、月及び日のうち少なくともいずれかを示す時期指定情報の入力を受ける時期指定情報入力ステップと、前記時期指定情報入力ステップにて年、月及び日のうち１つまたは２つを示す時期指定情報の入力を受けた場合、当該時期指定情報が示す年、月及び日のうち１つまたは２つに、前記発行日提案用情報にて対応付けられている１つ以上の発行年月日情報を、前記発行日提案用情報記憶部から読み出す発行日提案処理ステップと、前記発行日提案処理ステップにて読み出した発行年月日情報を出力する出力ステップと、前記出力ステップにて出力した発行年月日情報が示す年月日のうち１つの年月日を示す決定年月日情報の入力を受ける決定年月日情報入力ステップと、前記決定年月日情報が示す年月日の新聞の紙面を示す新聞紙面データを前記新聞紙面データ記憶部から読み出す新聞紙面データ管理ステップと、前記新聞紙面データ管理ステップにて読み出した新聞紙面データが示す紙面の複製物を前記印刷部に印刷させる印刷ステップと、を実行させるためのプログラムである。
【発明の効果】
【００１２】
本発明によれば、ユーザが年月日の一部のみを入力した場合でもユーザの希望に応じて新聞紙面の複製物を提供することができる。
【図面の簡単な説明】
【００１３】
【図１】本発明の一実施形態における新聞紙面複製物出力システムの機能構成を示す概略ブロック図である。
【図２】同実施形態における発行日提案用情報記憶部が記憶している発行日提案用情報の例を示す説明図である。
【図３】同実施形態における表示部が表示する年月日入力画面の例を示す説明図である。
【図４】同実施形態における表示部が発行年月日情報を表示する発行日提案画面の例を示す説明図である。
【図５】同実施形態におけるプリント端末装置が年月日を示す時期指定情報を送信する場合の、新聞紙面複製物出力システムの動作例を示す説明図である。
【図６】同実施形態におけるプリント端末装置が年、年月又は月日を示す時期指定情報を送信する場合の、新聞紙面複製物出力システムの動作例を示す説明図である。
【発明を実施するための形態】
【００１４】
以下、本発明の実施形態を説明するが、以下の実施形態は請求の範囲にかかる発明を限定するものではない。また、実施形態の中で説明されている特徴の組み合わせの全てが発明の解決手段に必須であるとは限らない。
図１は、本発明の一実施形態における新聞紙面複製物出力システムの機能構成を示す概略ブロック図である。同図に示すように新聞紙面複製物出力システム１は、新聞紙面データサーバ装置１００と、プリント端末装置２００とを備える。新聞紙面データサーバ装置１００は、第１通信部１１０と、第１記憶部１８０と、第１制御部１９０とを備える。第１記憶部１８０は、新聞紙面データ記憶部１８１と、発行日提案用情報記憶部１８２と、印刷枚数情報記憶部１８３とを備える。第１制御部１９０は、第１通信制御部１９１と、新聞紙面データ管理部１９２と、発行日提案処理部１９３と、印刷枚数管理部１９４とを備える。プリント端末装置２００は、第２通信部２１０と、表示部２２０と、操作入力部２３０と、印刷部２４０と、第２記憶部２８０と、第２制御部２９０とを備える。第２記憶部２８０は、新聞紙面データバッファ２８１を備える。第２制御部２９０は、第２通信制御部２９１と、バッファ管理部２９２と、エラー処理部２９３とを備える。また、プリント端末装置２００と新聞紙面データサーバ装置１００とはネットワーク９００を介して通信接続される。
【００１５】
新聞紙面複製物出力システム１は、過去の日付を指定するユーザ操作を受け、指定された日付に基づいて決定された発行日の新聞の紙面の複製物（以下、新聞紙面複製物と称する）を印刷する。具体的には、過去の日付を年月日で指定された場合、新聞紙面複製物出力システム１は、当該日付の新聞紙面複製物を印刷する。一方、年のみ、年月のみ又は月日のみなど、年月日の一部のみを指定された場合、新聞紙面複製物出力システム１は、指定された年、年月又は月日に該当する年月日をユーザに提案し、提案した年月日のいずれかをユーザが選択すると選択された年月日の新聞紙面複製物を印刷する。
【００１６】
なお、新聞紙面複製物出力システム１が備えるプリント端末装置２００の数は１つに限らない。新聞紙面複製物出力システム１が複数のプリント端末装置２００を備えるようにしてもよい。
なお、新聞紙面複製物出力システム１の構成は、図１に示す新聞紙面データサーバ装置１００とプリント端末装置２００とが別個の装置として設けられる構成に限らない。例えば、新聞紙面複製物出力システム１が、１つの新聞紙面データサーバ装置１００と１つのプリント端末装置２００とを含む１つの装置を備えるようにしてもよい。
【００１７】
新聞紙面データサーバ装置１００は、新聞紙面データを記憶し管理する。ここでいう新聞紙面データは、新聞の１つ以上の紙面を示すデータである。新聞データは、プリント端末装置２００が新聞紙面複製物を印刷するのに用いられる。また、新聞紙面データサーバ装置１００は、ユーザによる過去の年月日の指定を受けた場合、（指定された年月日の新聞紙面データを記憶しているときは、）当該新聞紙面データをプリント端末装置２００へ送信する。一方、ユーザによる過去の年、月又は日のうち１つ又は２つの指定を受けた場合、新聞紙面データサーバ装置１００は、指定された年、月又は日のうち１つ又は２つに基づいて１つ以上の新聞発行日を提案する情報をプリント端末装置２００へ送信する。
新聞紙面データサーバ装置１００は、例えばコンピュータを用いて構成される。
【００１８】
第１通信部１１０は、ネットワーク９００を介してプリント端末装置２００の第２通信部２１０と通信を行う。特に、第１通信部１１０は、ユーザが指定した日付を示す情報を受信する。また、第１通信部１１０は、新聞紙面データを送信する。また、第１通信部１１０は、ユーザが年、月又は日のうち１つ又は２つを指定した場合、指定された年、月又は日のうち１つ又は２つに基づいて１つ以上の新聞発行日を提案する情報をプリント端末装置２００へ送信する。
【００１９】
第１記憶部１８０は、新聞紙面データサーバ装置１００が備える記憶デバイスを用いて構成され、各種情報を記憶する。
新聞紙面データ記憶部１８１は、所定期間に発行された新聞の各々の１つ以上の紙面を示す新聞紙面データを記憶する。例えば、新聞紙面データ記憶部１８１は、１８８９年１月１日から昨日までの期間の新聞紙面データを記憶している。一方、新聞紙面データ記憶部１８１は休刊日の新聞紙面データを記憶していない。
【００２０】
発行日提案用情報記憶部１８２は、発行日提案用情報を記憶する。ここでいう発行日提案用情報は、指定条件情報と発行年月日情報とが対応付けられた情報である。ここでいう指定条件情報は、年、月及び日のうち１つまたは２つを示す情報である。指定条件情報は、ユーザが年、月及び日のうち１つまたは２つを指定した場合に、当該ユーザの指定に該当する発行年月日情報を検索するためのインデックスとして用いられる。また、ここでいう発行年月日情報は、指定条件情報が示す年、月及び日のうち１つまたは２つに基づいて決定された年月日（指定条件情報が示す、ユーザが指定した条件を満たす年月日）、かつ、新聞紙面データ記憶部１８１が新聞紙面データを記憶している新聞の発行日に該当する年月日を示す情報である。
【００２１】
図２は、発行日提案用情報記憶部１８２が記憶している発行日提案用情報の例を示す説明図である。同図の例では、発行日提案用情報は、指定項目欄と、指定内容欄と、提案年月日欄とを含む表形式（テーブル形式）の情報として構成されている。そして、同図の発行日提案用情報では、指定内容欄と提案年月日欄とが、同じ行に１つずつ格納されることで一対一に対応付けられている。指定内容欄に格納されている情報は、指定条件情報の例に該当する。また、提案年月日欄に格納されて１つの年月日を示す情報の各々は、発行年月日情報の例に該当する。
【００２２】
指定項目が「年」になっている行（指定項目に格納されている情報が「年」を示す行）の指定内容欄には、年を示す指定条件情報が格納されている。また、指定項目が「年」になっている行の提案年月日欄には、同じ行の指定条件情報が示す年に該当する発行年月日情報が１つ以上格納されている。
例えば、行Ｌ１１１の指定内容欄には「１８８９年」を示す指定条件情報が格納されている。そして、同行の提案年月日欄には、「１８８９年１月１日」を示す発行年月日情報と、「１８８９年５月６日」を示す発行年月日情報と、「１８８９年１２月３１日」を示す発行年月日情報とが格納されている。
【００２３】
発行日提案用情報は、ユーザが年、月及び日のうち１つまたは２つを指定するユーザ操作を行った場合に、ユーザの指定に該当する新聞発行日を提案するために用いられる。例えば、ユーザがプリント端末装置２００の操作入力部２３０にて「１８８９年」を指定するユーザ操作を行った場合、新聞紙面データサーバ装置１００（発行日提案処理部１９３）は、「１８８９年」を示す指定条件情報を指定内容欄に格納している行Ｌ１１１の提案年月日欄から、「１８８９年１月１日」を示す発行年月日情報と、「１８８９年５月６日」を示す発行年月日情報と、「１８８９年１２月３１日」を示す発行年月日情報を読み出す。そして、表示部２２０が、「１８８９年１月１日」、「１８８９年５月６日」、「１８８９年１２月３１日」のいずれかの新聞紙面複製物を印刷することを提案するメッセージを表示する。
【００２４】
このように、発行日提案処理部１９３は、ユーザが指定した年、月及び日のうち１つまたは２つを示す情報を検索キーとして発行日提案用情報を検索して、ユーザの指定に該当する発行年月日情報を読み出す。そして、表示部２２０は、発行日提案処理部１９３が読み出した発行年月日情報（複数ある場合は何れか）が示す年月日の新聞紙面複製物を印刷することを提案するメッセージを表示する。
【００２５】
また、行Ｌ１１２の指定内容欄には「１８９０年」を示す指定条件情報が格納されている。そして、同行の提案年月日欄には、「１８９０年１月１日」を示す発行年月日情報と、「１８９０年５月１日」を示す発行年月日情報と、「１８９０年７月１日」を示す発行年月日情報とが格納されている。
また、行Ｌ１１３の指定内容欄には「２０１５年」を示す指定条件情報が格納されている。そして、同行の提案年月日欄には、「２０１５年１月１日」を示す発行年月日情報と、「２０１５年５月１日」を示す発行年月日情報と、「２０１５年５月１８日」を示す発行年月日情報とが格納されている。
【００２６】
なお、全ての提案年月日欄に同数の発行年月日情報が格納されていてもよいし、提案年月日欄によって格納される発行年月日情報の数が異なっていてもよい。図２の例では、行Ｌ１２１の提案年月日欄には２つの発行年月日情報が格納され、行Ｌ１２２の提案年月日欄には３つの発行年月日情報が格納されているように、提案年月日欄によって格納される発行年月日情報の数が異なる場合の例を示している。
【００２７】
指定項目が「年月」になっている行（指定項目に格納されている情報が「年月」を示す行）の指定内容欄には、年及び月を示す指定条件情報が格納されている。また、指定項目が「年月」になっている行の提案年月日欄には、同じ行の指定条件情報が示す年及び月に該当する発行年月日情報が１つ以上格納されている。
例えば、行Ｌ１２１の指定内容欄には「１８８９年１月」を示す指定条件情報が格納されている。そして、同行の提案年月日欄には、「１８８９年１月１日」を示す発行年月日情報と、「１８８９年１月２２日」を示す発行年月日情報が格納されている。
【００２８】
また、行Ｌ１２２の指定内容欄には「１８８９年２月」を示す指定条件情報が格納されている。そして、同行の提案年月日欄には、「１８８９年２月１日」を示す発行年月日情報と、「１８８９年２月１１日」を示す発行年月日情報と、「１８８９年２月１２日」を示す発行年月日情報とが格納されている。
また、行Ｌ１２３の指定内容欄には「２０１５年５月」を示す指定条件情報が格納されている。そして、同行の提案年月日欄には、「２０１５年５月１日」を示す発行年月日情報と、「２０１５年５月３日」を示す発行年月日情報と、「２０１５年５月１８日」を示す発行年月日情報とが格納されている。
【００２９】
指定項目が「月日」になっている行（指定項目に格納されている情報が「月日」を示す行）の指定内容欄には、月及び日を示す指定条件情報が格納されている。また、指定項目が「月日」になっている行の提案年月日欄には、同じ行の指定条件情報が示す月及び日に該当する発行年月日情報が１つ以上格納されている。
例えば、行Ｌ１３１の指定内容欄には「１月１日」を示す指定条件情報が格納されている。そして、同行の提案年月日欄には、「１９０１年１月１日」を示す発行年月日情報と、「１９５８年１月１日」を示す発行年月日情報と、「２００１年１月１日」を示す発行年月日情報とが格納されている。
【００３０】
また、行Ｌ１３２の指定内容欄には「１月３日」を示す指定条件情報が格納されている。そして、同行の提案年月日欄には、「１９３０年１月３日」を示す発行年月日情報と、「２００４年１月３日」を示す発行年月日情報とが格納されている。
また、行Ｌ１３３の指定内容欄には「１２月３１日」を示す指定条件情報が格納されている。そして、同行の提案年月日欄には、「１９００年１２月３１日」を示す発行年月日情報と、「１９５３年１２月３１日」を示す発行年月日情報と、「２０００年１２月３１日」を示す発行年月日情報とが格納されている。
【００３１】
ここで、新聞紙面データ記憶部１８１が格納している新聞紙面データの元となっている新聞では、毎年１月２日が休刊日になっている。このため、新聞紙面データ記憶部１８１は、１月２日の新聞紙面データを記憶していない。これに対応して、発行日提案用情報記憶部１８２が記憶している発行日提案用情報には、指定内容欄に「１月２日」を示す指定条件情報が格納されている行は含まれていない。
【００３２】
これにより、ユーザが「１月２日」を指定するユーザ操作を行った場合、新聞紙面複製物出力システム１は、１月２日に該当する新聞発行日を提案することはできない。この場合、新聞紙面複製物出力システム１が、ユーザの指定した月日に直近の月日に該当する発行年月日を提案するようにしてもよい。
例えば、ユーザが「１月２日」を指定するユーザ操作を行った場合、発行日提案処理部１９３は、「１月２日」に直近の「１月１日」（あるいは、「１月３日」でもよい）を示す指定条件情報が指定内容欄に格納されている行Ｌ１３１から、「１９０１年１月１日」を示す発行年月日情報、「１９５８年１月１日」を示す発行年月日情報、及び、「２００１年１月１日」を示す発行年月日情報を読み出す。そして、プリント端末装置２００の表示部２２０は、「１９０１年１月１日」、「１９５８年１月１日」、「２００１年１月１日」のいずれかの新聞紙面複製物を印刷することを提案するメッセージを表示する。
あるいは、ユーザの指定した条件に該当する指定条件情報が発行日提案用情報に含まれていない場合、表示部２２０が、該当発行日無しを示して他の条件（年、月、日のうち１つ以上）を入力するよう促す表示を行うようにしてもよい。
【００３３】
なお、発行日提案用情報の提案年月日欄がどのような発行年月日情報を格納するかは、例えば新聞紙面複製物出力システム１の管理者（新聞紙面複製物を提供するサービス提供者）が決定する。例えば、管理者は、指定内容欄に格納されている指定条件情報に該当する（当てはまる）年月日、かつ、新聞紙面データ記憶部１８１が新聞紙面データを記憶している新聞の発行日に該当する年月日のうち、新聞紙面データ記憶部１８１が記憶している新聞紙面データが、明るい話題を示す年月日（すなわち、紙面に明るい話題が載っている年月日）を示す発行年月日情報を提案年月日欄に格納させる。例えば、図２の行Ｌ１１２では、指定内容欄の指定条件情報が示す「１８９０年」に対し、１８９０年に該当し、正月の明るい話題が新聞紙面に載っている「１８９０年１月１日」を示す発行日年月日情報が格納されている。
【００３４】
但し、提案年月日欄が格納する発行年月日情報は、新聞紙面データ記憶部１８１が記憶している新聞紙面データが明るい話題を示す年月日を示すものに限らない。例えば、新聞紙面データ記憶部１８１が記憶している新聞紙面データが重大事件の記事を示す年月日（すなわち、紙面に重大事件の記事が載っている年月日）を示す発行年月日情報が、提案年月日欄に格納されていてもよい。
あるいは、節目となる年月日を示す発行年月日情報が、提案年月日欄に格納されていてもよい。例えば、図２の行Ｌ１３３には、２０世紀最後の日という節目の日である「２０００年１２月３１日」を示す発行年月日情報が格納されている。
【００３５】
なお、発行日提案用情報記憶部１８２が記憶する発行日提案用情報が指定内容欄に格納する指定条件情報は、図２に示す、「年」、「年月」、「月日」のいずれかを示すものに限らない。例えば、発行日提案用情報記憶部１８２が、「年」を示す指定条件情報、「年月」を示す指定条件情報、及び、「月日」を示す指定条件情報に加えて、「年日」（年及び日）を示す指定条件情報を、１つ以上の発行年月日情報と対応付けて記憶するようにしてもよい。この場合、発行日提案用情報記憶部１８２は、指定内容欄に格納する指定条件情報が示す年及び日に該当する発行年月日情報を、当該指定条件情報と同じ行の提案年月日欄に格納して記憶する。
【００３６】
印刷枚数情報記憶部１８３は、プリント端末装置２００が印刷した新聞紙面複製物の枚数を示す枚数情報を記憶する。印刷枚数情報記憶部１８３が記憶する枚数情報は、ユーザに対する課金に用いられる。例えば、ユーザはプリント端末装置２００にて新聞紙面複製物出力システム１にログインして新聞紙面複製物出力システム１を利用し、印刷枚数情報記憶部１８３は、ログイン名で区別されるユーザ毎に、当該ユーザが新聞紙面複製物出力システム１を利用して発行を受けた新聞紙面複製物の枚数を示す枚数情報を記憶する。
【００３７】
第１制御部１９０は、新聞紙面データサーバ装置１００の各部を制御して各種処理を行う。第１制御部１９０は、例えば新聞紙面データサーバ装置１００が備えるＣＰＵ（Central Processing Unit、中央処理装置）が、第１記憶部１８０からプログラムを読み出して実行することで実現される。
第１通信制御部１９１は、第１通信部１１０を制御してプリント端末装置２００の第２通信部２１０との通信を行わせる。また、第１通信制御部１９１は、新聞紙面データ記憶部１８１が記憶する新聞紙面データを不正使用されないためのセキュリティ処理を行う。例えば、第１通信制御部１９１は、ユーザがプリント端末装置２００にて新聞紙面複製物出力システム１にログインする際のユーザ認証処理を行う。
なお、第１通信部１１０が送信する新聞紙面データをユーザ以外の者が傍受して不正使用しないよう、新聞紙面データ記憶部１８１が、暗号化された新聞紙面データを記憶しておくようにしてもよい。あるいは、第１通信制御部１９１が、新聞紙面データを暗号化して第１通信部１１０に送信させるようにしてもよい。
【００３８】
新聞紙面データ管理部１９２は、新聞紙面データ記憶部１８１が記憶する新聞紙面データを管理する。特に、新聞紙面データ管理部１９２は、ユーザが指定した年月日の紙面を示す新聞紙面データを新聞紙面データ記憶部１８１から読み出す。ここでのユーザが指定した年月日は、ユーザが年、月、日それぞれを入力するユーザ操作を行って指定したものであってもよいし、新聞紙面複製物出力システム１が提案した新聞発行日（表示部２２０が表示した発行年月日）の中からユーザが選択したものであってもよい。
以下では、新聞紙面複製物出力システム１が提案した新聞発行日の中からユーザが選択した新聞発行日を決定年月日情報と称する。
【００３９】
発行日提案処理部１９３は、発行日提案用情報記憶部１８２が記憶する発行日提案情報を管理する。特に、発行日提案処理部１９３は、操作入力部２３０が年、月及び日のうち１つまたは２を示すユーザ操作を受けた場合（図２の例では、年、年及び月、月及び日のいずれかを示すユーザ操作を受けた場合）、当該ユーザ操作にて示された月及び日のうち１つまたは２に、発行日提案用情報にて対応付けられている１つ以上の発行年月日情報を、発行日提案用情報記憶部１８２から読み出す。
【００４０】
例えば、操作入力部２３０が、年、月及び日のうち年のみを示すユーザ操作を受けた場合、発行日提案処理部１９３は、当該ユーザ操作が示す年に、発行日提案用情報にて対応付けられている１つ以上の発行年月日情報を発行日提案用情報記憶部１８２から読み出す。例えば、図２の例で操作入力部２３０が、１８９０年を示すユーザ操作を受けた場合、発行日提案処理部１９３は、１８９０年を示す指定条件情報が指定内容欄に格納されている行Ｌ１１２の提案年月日欄から、「１８９０年１月１日」を示す発行年月日情報と、「１８９０年５月１日」を示す発行年月日情報と、「１８９０年７月１日」を示す発行年月日情報とを読み出す。
【００４１】
あるいは、操作入力部２３０が、年、月及び日のうち月及び日のみを示すユーザ操作を受けた場合、発行日提案処理部１９３は、当該ユーザ操作が示す月及び日に発行日提案用情報にて対応付けられている１つ以上の発行年月日情報を発行日提案用情報記憶部１８２から読み出す。例えば、図２の例で操作入力部２３０が、１月３日を示すユーザ操作を受けた場合、発行日提案処理部１９３は、１月３日を示す指定条件情報が指定内容欄に格納されている行Ｌ１３２の提案年月日欄から、「１９３０年１月３日」を示す発行年月日情報と、「２００４年１月３日」を示す発行年月日情報とを読み出す。
但し、上述した１月２日のように、発行日提案処理部１９３が発行年月日情報を読み出せない月日があってもよい。
【００４２】
印刷枚数管理部１９４は、印刷枚数情報記憶部１８３が記憶する枚数情報を管理する。例えば、印刷枚数管理部１９４は、第１通信部１１０が新聞紙面データを送信すると、当該新聞紙面データを要求したユーザ（当該新聞紙面データの送信先のプリント端末装置２００にてログインしているユーザ）の印刷枚数に、送信した新聞紙面データによる印刷枚数を加算する。一方、印刷部２４０でのエラー等により新聞紙面複製物を印刷できなかった旨の通知を受けた場合、印刷枚数管理部１９４は、印刷できなかった枚数を、印刷枚数情報記憶部１８３が記憶している枚数情報が示す該当ユーザの印刷枚数から減算する。
【００４３】
プリント端末装置２００は、新聞紙面複製物出力システム１におけるユーザ端末装置として機能する。例えば、プリント端末装置２００は、ユーザ操作を受けて当該ユーザ操作を示す情報を新聞紙面データサーバ装置１００へ送信する。また、プリント端末装置２００は、新聞紙面データサーバ装置１００が送信したメッセージを表示する。また、プリント端末装置２００は、新聞紙面複製物を印刷する。
プリント端末装置２００は、例えばプリンタを備えたコンピュータを用いて構成される。
【００４４】
第２通信部２１０は、ネットワーク９００を介して新聞紙面データサーバ装置１００の第１通信部１１０と通信を行う。特に、第２通信部２１０は、ユーザが指定した日付を示す情報を送信する。また、第２通信部２１０は、新聞紙面データを受信する。また、第２通信部２１０は、ユーザが年、月又は日のうち１つ又は２つを指定した場合に新聞紙面データサーバ装置１００（第１通信部１１０）が送信する、１つ以上の新聞発行日を提案する情報を受信する。
【００４５】
表示部２２０は、例えば液晶パネル等の表示画面を有し、各種情報を表示する。特に、表示部２２０は、年、月及び日のいずれか１つ以上をユーザに指定させるための年月日入力画面を表示する。
図３は、表示部２２０が表示する年月日入力画面の例を示す説明図である。
同図に示す年月日入力画面にて、領域Ａ１１０は、年、月及び日のうち１つ以上（図２の例では、年月日、年月、年、又は月日のいずれか）を入力するユーザ操作を受けるための情報の表示領域である。
【００４６】
領域Ａ１１１は、ユーザが入力した年の情報を表示する領域である。領域Ａ１１２は、ユーザが入力した月の情報を表示する領域である。領域Ａ１１３は、ユーザが入力した日の情報を表示する領域である。例えば、ユーザが年のみを入力するユーザ操作を行った場合、当該ユーザ操作が示す年が領域Ａ１１１に表示され、領域Ａ１１２、Ａ１１３はいずれも空欄となる。これら年、月及び日のうち１つ以上を入力するユーザ操作は、操作入力部２３０が受ける。例えば、操作入力部２３０が、表示部２２０の表示画面に設置されてタッチパネルを構成するタッチセンサを有し、年、月及び日のうち１つ以上を入力するユーザ操作をタッチ操作にて受ける。あるいは、操作入力部２３０がキーボードを有し、年、月及び日のうち１つ以上を入力するユーザ操作をキーボード操作にて受けるようにしてもよい。
【００４７】
領域Ａ１１４は、決定ボタンを表示する領域である。ここでの決定ボタンは、ユーザが入力した年、月及び日のうち１つ以上を示す情報を確定させるユーザ操作用のボタンである。また、ここでのボタンは、タッチ領域（ユーザがタッチ操作を行う領域）である。
例えば、操作入力部２３０は、ユーザが入力した年、月及び日のうち１つ以上を示す情報を確定させるユーザ操作を、領域Ａ１１４へのタッチ操作にて受ける。
以下では、ユーザ操作によって指定された年、月及び日のいずれか１つ以上を示す情報を時期指定情報と称する。年月日入力画面にて入力され確定された、年、月及び日のいずれか１つ以上を示す情報は、時期指定情報の例に該当する。
【００４８】
領域Ａ１２０は、ログアウトボタンを表示する領域である。ここでのログアウトボタンは、ユーザが新聞紙面複製物出力システム１からログアウトするユーザ操作用のボタンである。例えば、操作入力部２３０は、ユーザが新聞紙面複製物出力システム１からログアウトするユーザ操作を、領域Ａ１２０へのタッチ操作にて受ける。
また、表示部２２０は、発行日提案処理部１９３が発行日提案用情報記憶部１８２から読み出した発行年月日情報を、新聞紙面複製物の印刷対象の新聞発行日を提案する情報として表示する。
【００４９】
図４は、表示部２２０が発行年月日情報を表示する発行日提案画面の例を示す説明図である。
同図に示す発行日提案画面にて、領域Ａ２１０は、１つ以上の発行年月日情報を表示するための領域である。図４は、図２の例でユーザが２０１５年を示す時期指定情報を入力した場合の例を示している。領域Ａ２１１には、「２０１５年１月１日」を示す発行年月日情報がボタンの形式で示されている。領域Ａ２１２には、「２０１５年５月１日」を示す発行年月日情報がボタンの形式で示されている。領域Ａ２１３には、「２０１５年５月１８日」を示す発行年月日情報がボタンの形式で示されている。
【００５０】
ユーザは、領域Ａ２１１、Ａ２１２、Ａ２１３のいずれかへのタッチ操作を行うことで、何れかの発行年月日情報が示す年月日を選択する。例えば、ユーザは、領域Ａ２１１へのタッチ操作を行うことで、「２０１５年１月１日」を選択する。
以下では、表示部２２０が表示した発行年月日情報が示す年月日のうち、ユーザが選択した１つの年月日を示す情報を決定年月日情報と称する。図４の例では、領域Ａ２１１、Ａ２１２、Ａ２１３のうちユーザがタッチ操作を行った領域を示す情報が、決定年月日情報の例に該当する。
【００５１】
プリント端末装置２００は、決定年月日情報を新聞紙面データサーバ装置１００へ送信する。すると、新聞紙面データサーバ装置１００は、当該決定年月日情報が示す年月日の新聞紙面を示す新聞紙面データを新聞紙面データ記憶部１８１から読み出してプリント端末装置２００へ送信する。プリント端末装置２００は、新聞紙面データ記憶部１８１からの新聞紙面データに基づいて新聞紙面複製物を印刷する。
表示部２２０は出力部の例に該当する。なお、ユーザに提示する情報をプリント端末装置２００が出力する方法は、表示部２２０の表示画面に表示する方法に限らない。例えば、プリント端末装置２００が、ユーザに提示する情報を表示装置に送信し、当該表示装置がプリント端末装置２００からの情報を表示するようにしてもよい。
【００５２】
操作入力部２３０は、入力デバイスを有してユーザ操作を受ける。例えば、図３及び図４の例では、操作入力部２３０は、表示部２２０の表示画面に設置されてタッチパネルを構成するタッチセンサを有してユーザ操作を受ける。あるいは、操作入力部２３０が、タッチセンサに加えて、あるいは代えて、キーボード及びマウスのいずれか、あるいはこれらの組み合わせなどの入力デバイスを有するようにしてもよい。
【００５３】
図３を参照して説明したように、操作入力部２３０は、年、月及び日のうち少なくともいずれかを示す時期指定情報の入力を受ける。また、図４を参照して説明したように、操作入力部２３０は、表示部２２０が表示した発行年月日情報が示す年月日のうち１つの年月日を示す決定年月日情報の入力を受ける。
操作入力部２３０は、入力部の例に該当する。なお、プリント端末装置２００がユーザ操作を示す情報を取得する方法は、操作入力部２３０がユーザ操作を受ける方法に限らない。例えば、プリント端末装置２００がユーザ操作を示す情報を他の装置から受信するようにしてもよい。
印刷部２４０は、新聞紙面データサーバ装置１００の新聞紙面データ管理部１９２が新聞紙面データ記憶部１８１から読み出した新聞紙面データが示す紙面の複製物を印刷する。これにより、プリント端末装置２００は、新聞紙面複製物をユーザに提供する。
【００５４】
第２記憶部２８０は、プリント端末装置２００が備える記憶デバイスを用いて構成され、各種情報を記憶する。
新聞紙面データバッファ２８１は、第２通信部２１０が第１通信部１１０から受信した新聞紙面データを、印刷用に一時的に記憶する。
【００５５】
第２制御部２９０は、プリント端末装置２００の各部を制御して各種処理を行う。第２制御部２９０は、例えばプリント端末装置２００が備えるＣＰＵが、第２記憶部２８０からプログラムを読み出して実行することで実現される。
第２通信制御部２９１は、第２通信部２１０を制御して新聞紙面データサーバ装置１００の第１通信部１１０との通信を行わせる。また、第２通信制御部２９１は、新聞紙面データを不正使用されないためのセキュリティ処理を行う。例えば、第２通信制御部２９１は、ユーザがプリント端末装置２００にて新聞紙面複製物出力システム１にログインする際の認証要求処理を行う。また、新聞紙面データサーバ装置１００が暗号化された新聞紙面データを送信する場合、第２通信制御部２９１は、当該新聞紙面データを復号化（暗号解読）する。
【００５６】
バッファ管理部２９２は、新聞紙面データバッファ２８１が記憶する情報を管理する。特に、バッファ管理部２９２は、新聞紙面データバッファ２８１が記憶している新聞紙面データを印刷部２４０が新聞紙面複製物として印刷し終えると、新聞紙面データバッファ２８１から当該新聞紙面データを削除する。このように新聞紙面データバッファ２８１が記憶している新聞紙面データをバッファ管理部２９２が削除することで、当該新聞紙面データを不正使用される可能性を低減させることができる。
【００５７】
エラー処理部２９３は、印刷部２４０が新聞紙面複製物の印刷に失敗した場合の処理を行う。具体的には、エラー処理部２９３は、印刷部２４０が新聞紙面複製物の印刷に失敗したことを検知すると、印刷できなかった枚数を示す情報を印刷部２４０から取得する。そして、印刷部２４０は、印刷できなかった枚数を示す情報を含む印刷エラー情報を生成する。ここでいう印刷エラー情報は、印刷部２４０が新聞紙面複製物の印刷に失敗した旨を通知する情報である。
エラー処理部２９３が生成した印刷エラー情報は、印刷枚数管理部１９４が印刷枚数を計算するために用いられる。
ネットワーク９００は、第１通信部１１０と第２通信部２１０との間の通信を仲介する。ネットワーク９００は、例えばインターネットなど汎用的な通信ネットワークであってもよいし、新聞紙面複製物出力システム１専用の通信ネットワークであってもよい。
【００５８】
次に、図５及び図６を参照して新聞紙面複製物出力システム１の動作について説明する。
図５は、プリント端末装置２００が年月日を示す時期指定情報を送信する場合の、新聞紙面複製物出力システム１の動作例を示す説明図である。
同図の処理にて、プリント端末装置２００の操作入力部２３０は、新聞紙面複製物出力システム１にログインするユーザ操作を受け付ける（シーケンスＳ１０１）。そして、第２通信部２１０が、第２通信制御部２９１の制御に従って、認証要求を第１通信部１１０へ送信する（シーケンスＳ１０２）。
【００５９】
新聞紙面データサーバ装置１００では、第１通信制御部１９１がプリント端末装置２００からの認証要求に対するユーザ認証処理を行う（シーケンスＳ１０３）。ユーザ認証に成功すると、第１通信部１１０が第１通信制御部１９１の制御に従って認証成功を示す認証結果通知を送信する（シーケンスＳ１０４）。なお、認証に失敗した場合は、第１通信制御部１９１が認証失敗を示す認証結果通知を送信し、新聞紙面データサーバ装置１００は処理を終了する。
【００６０】
認証成功を示す認証結果通知を受けたプリント端末装置２００では、操作入力部２３０が時期指定情報の入力を受け付ける（シーケンスＳ１１１）。図５の例では、操作入力部２３０は、年、月及び日を示す時期指定情報の入力を受ける。
そして、第２通信部２１０が第２通信制御部２９１の制御に従って、当該時期指定情報を新聞紙面データサーバ装置１００へ送信する（シーケンスＳ１１２）。
【００６１】
新聞紙面データサーバ装置１００では、新聞紙面データ管理部１９２が、時期指定情報が示す年月日に該当する新聞紙面を示す新聞紙面データを新聞紙面データ記憶部１８１から読み出す（シーケンスＳ１２１）。
そして、第１通信部１１０は、新聞紙面データ管理部１９２が読み出した新聞紙面データを第１通信制御部１９１の制御に従って第２通信部２１０へ送信する（シーケンスＳ１２２）。
【００６２】
プリント端末装置２００では、印刷部２４０が、新聞紙面データサーバ装置１００からの新聞紙面データに基づいて新聞紙面複製物を印刷する（シーケンスＳ１３１）。
また、新聞紙面データサーバ装置１００では、印刷枚数管理部１９４が、印刷枚数情報記憶部１８３の記憶している枚数情報（印刷枚数を示す情報）を更新する（シーケンスＳ１４１）。
【００６３】
図６は、プリント端末装置２００が年、年月又は月日を示す時期指定情報を送信する場合の、新聞紙面複製物出力システム１の動作例を示す説明図である。
同図のシーケンスＳ２０１〜Ｓ２１１は、図５のシーケンスＳ１０１〜Ｓ１１１と同様である。但し、シーケンスＳ１１１の場合と異なりシーケンスＳ２１１では、操作入力部２３０は、年、年及び月、月及び日のいずれかを示す時期指定情報の入力を受ける。
そして、第２通信部２１０が第２通信制御部２９１の制御に従って、当該時期指定情報を新聞紙面データサーバ装置１００へ送信する（シーケンスＳ２１２）。
【００６４】
新聞紙面データサーバ装置１００では、発行日提案処理部１９３が、時期指定情報が指定する条件（年、年及び月、月及び日のいずれか）に対応付けられている発行年月日情報を、発行日提案用情報記憶部１８２が記憶している発行日提案用情報から読み出す（シーケンスＳ２２１）。
そして、第１通信部１１０は、発行日提案処理部１９３が読み出して発行年月日情報を第１通信制御部１９１の制御に従って第２通信部２１０へ送信する（シーケンスＳ２２２）。
プリント端末装置２００では、図４を参照して説明したように表示部２２０が発行年月日情報を表示する（シーケンスＳ２２３）。そして、操作入力部２３０は、いずれかの発行年月日情報を選択するユーザ操作を受け付ける（シーケンスＳ２３１）。
そして、第２通信部２１０は、選択された発行年月日情報を第１通信部１１０へ送信する（シーケンスＳ２３２）。
新聞紙面データサーバ装置１００では、新聞紙面データ管理部１９２が、プリント端末装置２００からの発行年月日情報が示す年月日に該当する新聞紙面を示す新聞紙面データを新聞紙面データ記憶部１８１から読み出す（シーケンスＳ２４１）。
シーケンスＳ２４２〜Ｓ２６１は、図５のシーケンスＳ１１２〜Ｓ１４１と同様である。
【００６５】
以上のように、操作入力部２３０が、年、月及び日のうち１つまたは２つを示す時期指定情報の入力を受けた場合、発行日提案処理部１９３は、当該時期指定情報が示す年、月及び日のうち１つまたは２つに、発行日提案用情報にて対応付けられている１つ以上の発行年月日情報を、発行日提案用情報記憶部１８２から読み出す。
この発行年月日情報を表示部２２０が表示して操作入力部２３０がユーザの選択操作を受け、選択された発行年月日情報が示す年月日の新聞紙面複製物を印刷部２４０が印刷する。
これにより、新聞紙面複製物出力システム１は、ユーザが年月日の一部のみを入力した場合でもユーザの希望に応じて新聞紙面の複製物を提供することができる。
【００６６】
例えば、ユーザが誕生日の月日のみを入力した場合など、年月日のうち月日のみを入力した場合に、新聞紙面複製物出力システム１は、入力された月日に該当する新聞発行年月日を提案し、ユーザが選択した年月日の新聞紙面複製物をユーザに提供することができる。
【００６７】
また、ユーザが年月日のうち年のみを入力した場合も、新聞紙面複製物出力システム１は、入力された年に該当する新聞発行年月日を提案し、ユーザが選択した年月日の新聞紙面複製物をユーザに提供することができる。
【００６８】
なお、ユーザが指定した年月日が休刊日である場合など、ユーザが指定した年月日を新聞紙面複製物出力システム１が提供できない場合も、発行日提案処理部１９３が、新聞発行日の提案を行うようにしてもよい。
例えば、発行日提案処理部１９３は、ユーザが指定した年月日のうち月及び日に基づいて、ユーザが月及び日のみを指定した場合と同様に、発行日提案用情報記憶部１８２から発行年月日情報を読み出す。そして、発行日提案処理部１９３は、読み出した発行年月日情報と、ユーザが指定した年月日の直近の新聞発行日を示す発行年月日情報とを、第１通信部１１０を介してプリント端末装置２００へ送信する。プリント端末装置２００では、図４を参照して説明したのと同様に、表示部２２０が新聞紙面データサーバ装置１００からの発行年月日情報を表示して、操作入力部２３０がユーザの選択操作を待ち受ける。
【００６９】
例えば、ユーザが２０１１年７月１１日を指定し、この日が休刊日であった場合、発行日提案処理部１９３は、発行日提案用情報を参照して、７月１１日を示す指定条件情報を指定内容欄に格納されている行の提案年月日欄から、格納されている発行年月日情報を全て読み出す。また、発行日提案処理部１９３は、２０１１年７月１１日の直近の新聞発行日である２０１１年７月１０日を示す発行年月日情報、及び、２０１１年７月１２日を示す発行年月日情報を取得する。そして、発行日提案処理部１９３は、得られた発行年月日情報を全て、第１通信部１１０を介してプリント端末装置２００へ送信する。プリント端末装置２００では、新聞紙面データサーバ装置１００が送信した発行年月日情報を表示部２２０が表示して、操作入力部２３０がユーザの選択操作を待ち受ける。そして、選択された年月日の新聞紙面複製物を印刷部２４０が印刷する。
これにより、新聞紙面複製物出力システム１は、ユーザが指定した年月日の紙面を示す新聞紙面データを新聞紙面データ記憶部１８１が記憶していない場合でもユーザの希望に応じて新聞紙面の複製物を提供することができる。
【００７０】
なお、制御部３７０又は４７０の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。また上記プログラムは、前述した機能の一部を実現するためのものであっても良く、さらに前述した機能をコンピュータシステムにすでに記録されているプログラムとの組み合わせで実現できるものであっても良い。
【００７１】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００７２】
１  新聞紙面複製物出力システム
１００  新聞紙面データサーバ装置
１１０  第１通信部
１８０  第１記憶部
１８１  新聞紙面データ記憶部
１８２  発行日提案用情報記憶部
１８３  印刷枚数情報記憶部
１９０  第１制御部
１９１  第１通信制御部
１９２  新聞紙面データ管理部
１９３  発行日提案処理部
１９４  印刷枚数管理部
２００  プリント端末装置
２１０  第２通信部
２２０  表示部
２３０  操作入力部
２４０  印刷部
２８０  第２記憶部
２８１  新聞紙面データバッファ
２９０  第２制御部
２９１  第２通信制御部
２９２  バッファ管理部
２９３  エラー処理部
９００  ネットワーク
【図１】
2017021707.tif 000003
【図２】
2017021707.tif 000004
【図３】
2017021707.tif 000005
【図４】
2017021707.tif 000006
【図５】
2017021707.tif 000007
【図６】
2017021707.tif 000008